(57)【要約】      （修正有）【課題】体のどの部分でもしっかりと固定することができ、しかも装着感の良好な人体用冷熱シートの固定具を提供する。【解決手段】固定具本体３を使用者の腰に巻き付けて、固定する位置を調整する。次に連結帯５の他方側の面ファスナを固定具本体３の表面の他端部に押し付けて固定する。これにより固定具本体３と連結帯５によってループが形成され、固定具本体３と連結帯５が腰に巻き付いた状態で止められて、人体用冷熱シート９が腰に押し付けられた状態で保持される。固定具本体３は柔軟性を有しているので、腰に密着して人体用冷熱シート９を暖めたい部分に確実に押し付けることができる。また連結帯５は伸縮性を有するので、固定具本体３をしっかり固定することができ、しかも腹部等に対する圧迫感がない。従って、人体用冷熱シートの固定具１では、良好な装着感を実現する。【選択図】図２
0003137880.tif 000002
【実用新案登録請求の範囲】
【請求項１】
柔軟性のある材料によって構成される固定具本体と、前記固定具本体に人体用冷熱シートを着脱自在に固定する固定手段と、前記固定具本体の両端部に連結される連結部材とから成ることを特徴とする人体用冷熱シートの固定具。
【請求項２】
請求項１に記載した人体用冷熱シートの固定具において、固定手段は面ファスナであり、固定具本体のほぼ全体に面ファスナの雄側部と雌側部の一方側を設け、人体用冷熱シートに面ファスナの雄側部と雌側部の他方側を設けて、人体用冷熱シートの固定具本体に対する固定位置を自由に変更できるものとしたことを特徴とする人体用冷熱シートの固定具。
【請求項３】
請求項２に記載した人体用冷熱シートの固定具において、連結部材を固定具本体に対し着脱自在に連結する連結手段は、固定具本体のほぼ全体に設けられた面ファスナの雄側部と雌側部の一方側と、前記固定具本体の雄側部と雌側部の一方側に対し連結される連結部材に設けられた面ファスナの雄側部と雌側部の他方側によって構成されていることを特徴とする人体用冷熱シートの固定具。
【請求項４】
請求項１から３のいずれかに記載した人体用冷熱シートの固定具において、連結部材は伸縮可能な材料によって構成されていることを特徴とする人体用冷熱シートの固定具。
【請求項５】
請求項１から４のいずれかの人体用冷熱シートの固定具と、人体用冷熱シートとから成る人体用冷熱シートの固定具セット。
【考案の詳細な説明】
【技術分野】
【０００１】
本考案は人体用冷熱シートの固定具に係り、特に人体用冷熱シートを体のどの部分にでも固定することができる人体用冷熱シートに関するものである。
【背景技術】
【０００２】
特許文献１に記載された人体用冷熱敷シートは、体を冷やす用途、暖める用途の両方に快適に使用できるものである。
【０００３】
【特許文献１】実用新案登録３０８４４０４号公報
【考案の開示】
【考案が解決しようとする課題】
【０００４】
しかしながら、人体用冷熱敷シートは頭や腰などの体の下に敷いて用いるものであって、体に固定して用いるものでなく、人体用冷熱敷シートを体に当てた状態で固定できる適当な固定具は存在せず、人体用冷熱敷シートは殆ど寝た状態でしか使用できないという不都合があった。
本考案は上記従来の問題点に着目して為されたものであり、体のどの部分であってもしっかりと固定することができ、しかも装着感の良好な人体用冷熱シートの固定具を提供することを、その目的とする。
【課題を解決するための手段】
【０００５】
本考案は上記課題を解決するためになされたものであり、請求項１の考案は、柔軟性のある材料によって構成される固定具本体と、前記固定具本体に人体用冷熱シートを着脱自在に固定する固定手段と、前記固定具本体の両端部に連結される連結部材とから成ることを特徴とする人体用冷熱シートの固定具である。
【０００６】
請求項２の考案は、請求項１に記載した人体用冷熱シートの固定具において、固定手段は面ファスナであり、固定具本体のほぼ全体を面ファスナの雄側部と雌側部の一方側とし、人体用冷熱シートに面ファスナの雄側部と雌側部の他方側を設けて、人体用冷熱シートの固定具本体に対する固定位置を自由に変更できるものとしたことを特徴とする人体用冷熱シートの固定具である。
【０００７】
請求項３の考案は、請求項２に記載した人体用冷熱シートの固定具において、連結部材を固定具本体に対し着脱自在に連結する連結手段は、固定具本体のほぼ全体に設けられた面ファスナの雄側部と雌側部の一方側と、前記固定具本体の雄側部と雌側部の一方側に対し連結される連結部材に設けられた面ファスナの雄側部と雌側部の他方側によって構成されていることを特徴とする人体用冷熱シートの固定具である。
【０００８】
請求項４の考案は、請求項１から３のいずれかに記載した人体用冷熱シートの固定具において、連結部材は伸縮可能な材料によって構成されていることを特徴とする人体用冷熱シートの固定具である。
【０００９】
請求項５の考案は、請求項１から４のいずれかの人体用冷熱シートの固定具と、人体用冷熱シートとから成る人体用冷熱シートの固定具セットである。
【考案の効果】
【００１０】
本考案の人体用冷熱シートの固定具によれば、体のどの部分でもしっかりと固定することができる。
【考案を実施するための最良の形態】
【００１１】
本考案の実施の形態に係る人体用冷熱シートの固定具１を図１から図２にしたがって説明する。
符号３は固定具本体を示し、この固定具本体３は長方形の合成樹脂製シートによって構成され、柔軟性と通気性を有している。また固定具本体３の環状の縁部４を除く表裏面、即ち固定具本体３のほぼ全体は、面ファスナの雄側部を連結することができるように加工されており、面ファスナの雌側部となっている。
【００１２】
符号５は連結部材としての連結帯を示し、この連結帯５はゴム糸を織り込んだ伸縮可能な材料によって構成されている。連結帯５の両端部分には面ファスナの雄側部７が固定されている。
符号９は人体用冷熱シートを示し、この人体用冷熱シート９の裏面には２本のテープ状の面ファスナの雄側部１１が固定されている。雄側部１１は人体用冷熱シート９の長手方向へ延びており、互いに間隔をおいて上下方向に配されている。
連結手段は、面ファスナの雄側部７と固定具本体３のほぼ全体に設けられた面ファスナの雌側部とによって構成されている。
【００１３】
上記面ファスナの雌側部として機能する固定具本体３の表裏面と、人体用冷熱シート９に固定された２本のテープ状の面ファスナの雄側部１１とによって固定手段は構成されている。
また、面ファスナの雄側部１１が固定された２つの人体用冷熱シート９と、人体用冷熱シートの固定具１とによって人体用冷熱シートの固定具セット１０が構成されている。
【００１４】
次に、人体用冷熱シートの固定具セット１０の使用方法について説明する。
人体用冷熱シート９を電子レンジにかけて、所望の温度になるように暖める。そして、人体用冷熱シート９の面ファスナの雄側部１１を固定具本体３の裏面に押し付けて、面ファスナの雄側部１１と固定具本体３に連結して、人体用冷熱シート９を固定具本体３の裏面側に固定する。例えば、人体用冷熱シート９を固定具本体３の長手方向へ並ぶ位置に固定する。
固定具本体３のほぼ全体が面ファスナの雌側部となっているので、人体用冷熱シート９の固定具本体３に対する固定位置は自由に選択することができる。
【００１５】
次いで、連結帯５の一方側の面ファスナの雄側部７を固定具本体３の表面の一端部に押し付けて、連結帯５を固定具本体３の表面側に固定する。そして、固定具本体３を使用者Ｍの腰に巻き付けて、固定する位置を調整する。次に連結帯５の他方側の面ファスナ７を固定具本体３の表面の他端部に押し付けて固定する。これにより固定具本体３と連結帯５とによってループが形成され、固定具本体３と連結帯５が腰に巻き付いた状態で止められて、人体用冷熱シート９が腰に押し付けられた状態で保持される。
前記のように人体用冷熱シート９の固定具本体３に対する固定位置は自由に選択することができるので、人体用冷熱シート９を所望の部分に確実に当てることができる。
【００１６】
固定具本体３は柔軟性を有しているので、腰に密着して人体用冷熱シート９を暖めたい部分に確実に押し付けることができる。更に、固定具本体３を腰に巻き付けた状態でも動き難くなることはなく、しかも通気性を有するので固定具本体３に覆われた部分が蒸れるのを防止することが可能である。また、連結帯５は伸縮性を有するので、固定具本体３をしっかり固定することができ、しかも腹部等に対する圧迫感がない。従って、人体用冷熱シートの固定具１では、良好な装着感を実現することができる。
【００１７】
また、人体用冷熱シートの固定具１では、固定具本体３の環状の縁テープ４を除く表裏面が面ファスナの雌側として機能するようになっているので、連結帯５の面ファスナ７の固定具本体３に対する取付位置を自由に変更することができる。従って、連結帯５の面ファスナ７の取付位置を、固定具本体３の裏面の中央側へ近づけるほど、固定具本体３と連結帯５とから成るループを小さくすることができる。従って、人体用冷熱シートの固定具セット１０を装着する者の体形に拘わらず、人体用冷熱シートの固定具セット１０をしっかりと体に固定することができる。
【００１８】
更に、人体用冷熱シートの固定具セット１０は上記したように腰だけでなく、手足、頭部にも巻き付けて固定することが可能である。この場合には必要に応じて固定具本体３を手足等に二重以上に巻き付ける。
また、上記実施例では、人体用冷熱シート９を加温して用いる場合を示したが、人体用冷熱シート９を冷蔵庫で冷却して、頭部等を冷やす場合にも人体用冷熱シートの固定具セット１０を用いることが可能であることは勿論である。
【００１９】
以上、本考案の実施の形態について詳述してきたが、具体的構成は、この実施の形態に限られるものではなく、本考案の要旨を逸脱しない範囲における設計の変更などがあっても考案に含まれる。
例えば、上記実施の形態では、固定手段として面ファスナを用いたが本発明はこれに限定されず、スナップ等を用いてもよい。
また、人体用冷熱シート９に固定する面ファスナの雄側部１１は、人体用冷熱シート９を製造する際に縫い付けて固定してもよいが、既存の人体用冷熱シート９に固定する場合は粘着剤、接着剤等によってユーザー等が固定するようにしてもよい。
上記実施の形態では、固定具本体３のほぼ全体を面ファスナの雌側部として、人体用冷熱シートに面ファスナの雄側部１１を設けたが、固定具本体３のほぼ全体を面ファスナの雄側部として、人体用冷熱シートに面ファスナの雌側部を設けてもよい。
【図面の簡単な説明】
【００２０】
【図１】本考案の実施の形態に係る人体用冷熱シートの固定具セットの斜視図である。
【図２】人体用冷熱シートの固定具セットを人の腰に巻き付けて固定した状態の斜視図である。
【符号の説明】
【００２１】
１…人体用冷熱シートの固定具        ３…固定具本体
４…縁部        ５…連結帯        ７…面ファスナの雄側部
９…人体用冷熱シート      １０…人体用冷熱シートの固定具セット
１１…面ファスナの雄側部      Ｍ…使用者
【図１】
0003137880.tif 000003
【図２】
0003137880.tif 000004